(57)【特許請求の範囲】
【請求項１】
装着者に当接される液透過性の表面シート、液不透過性の裏面シート、及び該表面シートと該裏面シートとの間に介在された液保持性の吸収部を有する吸収性物品において、
上記吸収部は、上層吸収体と、該上層吸収体の非肌当接面側に配設された下層吸収体とを備え、該上層吸収体は、該下層吸収体と独立して形成され且つ該下層吸収体と実質的に非接触状態に配設され、上記下層吸収体に対して幅方向又は長手方向に位相変化自在に、上記表面シートにより被覆されており、
上記上層吸収体は、その幅が上記下層吸収体の幅の２０〜８０％であり、その長さが該下層吸収体の長さより短くなされており、
上記表面シートは、吸収性物品長手方向における両端部が、該表面シートの幅方向中央部分を含めて、上記裏面シートに固着されていることを特徴とする吸収性物品。
【請求項２】
上記上層吸収体における上記下層吸収体側の幅方向中央部又は長手方向中央部を除く表面、及び上記下層吸収体における上記上層吸収体側の幅方向中央部又は長手方向中央部を除く上記上層吸収体側の表面が上記表面シートにより被覆されており、該表面シートは１枚の連続したシートからなっていることを特徴とする請求項１に記載の吸収性物品。
【請求項３】
上記表面シートは、吸収性物品の幅方向における２００％伸長時の応力が２００〜２０００ｇであり、幅方向における永久歪みが７０％以下であることを特徴とする請求項１又は請求項２に記載の吸収性物品。
【請求項４】
上記上層吸収体は、吸収シートを備えていることを特徴とする請求項１乃至請求項３のうちのいずれかに記載の吸収性物品。
【請求項５】
上記吸収シートは、紙又は不織布間に高吸収性ポリマーを層状に介在させたシート、若しくは、親水性繊維と高吸収性ポリマー及びバインダーを混合してシート状に形成したものであることを特徴とする請求項４に記載の吸収性物品。
【発明の詳細な説明】
【０００１】
【発明の属する技術分野】
本発明は、生理用ナプキンや使い捨ておむつ、失禁者用パッド、外科用パッド等の、液透過性の表面層、液不透過性の裏面層、及び該表面層と該裏面層との間に介在された液保持性の吸収部を有する吸収性物品に関し、更に詳しくは、装着時に装着者の動作に影響されることなく良好なフィット性が保持され、液吸収容量の大きい吸収性物品に関する。
【０００２】
【従来の技術及び発明が解決しようとする課題】
一般に、生理用ナプキンや使い捨ておむつ等の吸収性物品として、液透過性の表面シート、液不透過性の裏面シート、及び該表面シートと該裏面シートとの間に介在された液保持性の吸収部を有する吸収性物品はよく知られている。この様な吸収性物品は、血液、尿等の体液の漏出部分に良好にフィットし、漏れなく吸収及び保持できることが要求される。
【０００３】
血液、尿等の体液の漏出部分に良好にフィットし、漏れなく吸収及び保持できる吸収性物品として、従来より、吸収部を、下層吸収体と、該下層吸収体よりも幅狭の上層吸収体とにより構成し、装着者の当接部に合った形状で当接することによりズレを回避するとともに幅方向中央部における液吸収容量を増加させたものが知られている。
このような、吸収部を上下２層の構造とした吸収性物品としては、特公平５−７３４１９号公報に記載のものや、実開平５−２４０２５号公報に記載のものがある。特公平５−７３４１９号公報に記載の吸収性物品では、上層吸収体と下層吸収体とは個別に表面シートにより被覆され、長手方向両端部において互いに固定されている。実開平５−２４０２５号公報に記載の吸収性物品では、上層吸収体と下層吸収体とは個別に表面シートにより被覆され、長手方向両端部及び長手方向中央部において接着固定されている。
【０００４】
しかし、上述のような吸収性物品では、以下のような問題点がある。
即ち、特公平５−７３４１９号公報に記載の吸収性物品では、装着者の動作により、長手方向中央部において上層吸収体と下層吸収体との幅方向の相対的位置がずれてそのまま戻らず、体液が偏って吸収・分布されて漏れを生じる場合がある。実開平５−２４０２５号公報に記載の吸収性物品では、上層吸収体と下層吸収体とが一体となっているために、装着者の動作が激しい場合等には、吸収体全体がずれてしまい、漏れを生じるおそれがある。
【０００５】
従って、本発明の目的は、装着時に装着者の動作に影響されることなく良好なフィット性が保持され、液吸収容量の大きい吸収性物品を提供することにある。
【０００６】
【課題を解決するための手段】
本発明は、装着者に当接される液透過性の表面シート、液不透過性の裏面シート、及び該表面シートと該裏面シートとの間に介在された液保持性の吸収部を有する吸収性物品において、上記吸収部は、上層吸収体と、該上層吸収体の非肌当接面側に配設された下層吸収体とを備え、該上層吸収体は、該下層吸収体と独立して形成され且つ該下層吸収体と実質的に非接触状態に配設され、上記下層吸収体に対して幅方向又は長手方向に位相変化自在に、上記表面シートにより被覆されており、上記上層吸収体は、その幅が上記下層吸収体の幅の２０〜８０％であり、その長さが該下層吸収体の長さより短くなされており、上記表面シートは、吸収性物品長手方向における両端部が、該表面シートの幅方向中央部分を含めて、上記裏面シートに固着されていることを特徴とする吸収性物品を提供することにより、上記目的を達成したものである。
【０００７】
【発明の実施の形態】
以下、本発明の吸収性物品の実施形態を図面を参照しながら具体的に説明する。
図１は、本発明の吸収性物品の第１の実施形態としての生理用ナプキンを示す斜視図、図２は図１の生理用ナプキンの幅方向断面図である。
【０００８】
本実施形態の生理用ナプキン１０は、装着者に当接される液透過性の表面シート１１、液不透過性の裏面シート１２、及び該表面シート１１と該裏面シート１２との間に介在された液保持性の吸収部１３を有する。この構成については従来の公知技術と同じである。
【０００９】
而して、本実施形態の生理用ナプキン１０では、図１又は図２に示すように、上記吸収部１３は、上層吸収体１３ａと、該上層吸収体１３ａの非肌当接面側に配設された下層吸収体１３ｂとを備え、該上層吸収体１３ａは、該下層吸収体１３ｂと独立して形成され且つ該下層吸収体１３ｂと実質的に非接触状態に配設され、上記下層吸収体１３ｂに対して幅方向又は長手方向に位相変化自在に、上記表面シート１１により被覆されている。
【００１０】
本実施形態について詳述すると、上記上層吸収体１３ａは、２枚の吸収シートを重ねて２層に形成されている。下層吸収体１３ｂは、１枚の吸収シートにより１層に形成されている。
【００１１】
また、表面シート１１は、その略中央部が上層吸収体１３ａに当接されており、更に上記上層吸収体１３ａの左右両側縁に沿って上記上層吸収体１３ａと下層吸収体１３ｂとの間に折り込まれて、上層吸収体１３ａにおける下層吸収体１３ｂ側の幅方向中央部１３ａ’を除く表面を被覆している。この表面シート１１は、上層吸収体１３ａと下層吸収体１３ｂとの間において折り返されて連設部１１ｃが形成されており、上層吸収体１３ａと下層吸収体１３ｂとは、この連設部１１ｃを介して実質的に非接触状態に配設されている。更に表面シート１１は、連設部１１ｃから側縁部１１ｄ，１１ｄにかけてが下層吸収体１３ｂにおける上層吸収体１３ａ側の表面に面接され、下層吸収体１３ｂにおける上層吸収体１３ａ側の幅方向中央部１３ｂ’を除く上層吸収体１３ａ側の表面を被覆している。
尚、上層吸収体１３ａと下層吸収体１３ｂとが「実質的に非接触状態に配設されている」とは、上層吸収体１３ａの下層吸収体１３ｂに対する位相変化を妨げない程度に非接触状態であることをいい、例えば、上層吸収体１３ａの中央部が垂下変形して下層吸収体１３ｂと一部接触する場合等は実質的に非接触状態であるうちに含まれる。
【００１２】
そして、下層吸収体１３ｂは裏面シート１２に接着固定されており、下層吸収体１３ｂの周囲において、表面シート１１と裏面シート１２とが固着されている。生理用ナプキン１０の縁端部においては、表面シート１１は折曲状態のまま裏面シート１２に固着されている。
また裏面シート１２には、その外側面に、粘着剤を塗布することにより長手方向に２本の粘着部１２ａ，１２ａが形成され、この粘着部１２ａ，１２ａは剥離紙１６により被覆されており、生理用ナプキン１０装着直前に剥離紙１６を剥離して粘着部１２ａ，１２ａを露出し衣類に粘着させるようになっている。
【００１３】
上記上層吸収体１３ａは、その幅Ｗａが下層吸収体１３ｂの幅Ｗｂの２０〜８０％であり、好ましくは３０〜７０％である。２０％未満では装着者の体液の漏出部からズレるおそれがあり、８０％超では漏出部に対するフィット性を損なうおそれがある。また、上層吸収体１３ａの長さＬａは下層吸収体１３ｂの長さＬｂよりも短い。上層吸収体１３ａの長さＬａは下層吸収体１３ｂの長さＬｂの２０％以上であることが好ましい。２０％未満では装着者の体液の漏出部からズレるおそれがある。更に、上層吸収体１３ａの厚みＴａは０．３〜１０ｍｍであることが好ましく、０．５〜６ｍｍであることがより好ましい。上層吸収体１３ａが装着者に違和感なく確実に当接され且つ充分な液吸収容量を発揮するからである。
【００１４】
上記上層吸収体１３ａ及び下層吸収体１３ｂを形成する材料としては、フラッフパルプ、高吸収性ポリマー、紙、不織布等を特に制限なく使用する事ができるが、よりヨレ難く、吸収性の高い吸収性物品を得る為に厚み０．３〜５ｍｍの吸収シートを少なくとも含んでなる事が好ましい。厚み０．３ｍｍ未満ではヨレ易く、５ｍｍ超では剛性が大き過ぎ装着者に違和感を与える。
また、図１に示す第１の実施形態では、上層吸収体１３ａは、厚み０．３〜５ｍｍの吸収シートを２枚重ねて２層に形成されており、下層吸収体１３ｂは、厚み０．３〜５ｍｍの吸収シート１枚で１層に形成されている。
【００１５】
上記上層吸収体１３ａ及び下層吸収体１３ｂを形成する吸収シートとしては、吸収紙や不織布、繊維をバインダー等でシート化したパルプシート、フラッフパルプ、及び繊維に高吸収性ポリマーを混合してシート状に形成したもの等のシートを用いることができ、加工性及び良好な体液吸収量を得られる点から、繊維に高吸収性ポリマーを混合してシート状に形成したものが好ましい。尚、繊維に高吸収性ポリマーを混合してシート状に形成したものとしては、紙又は不織布間に高吸収性ポリマーが層状に分散されたもの、親水性繊維と高吸収性ポリマー及びバインダーを混合してシート状に形成したものののいずれも用いることができる。
上記繊維又は親水性繊維としては、木材パルプ等のセルロース繊維、レーヨン、キュプラ等の再生セルロース繊維、ポリビニルアルコール繊維やポリアクリロニトリル繊維等の親水性合成繊維、若しくは、界面活性剤等で繊維表面を親水化したポリエチレン、ポリプロピレン、ポリエチレンテレフタレート、ポリエチレン／ポリプロピレン複合繊維、ポリエチレン／ポリエチレンテレフタレート複合繊維が好ましく、親水性が良好に維持される点からは、セルロース繊維がより好ましい。
【００１６】
また、高吸収性ポリマーを混合して吸収シートを形成する場合の該高吸収性ポリマーとしては、自重の２０倍以上の液体を吸収・保持でき且つゲル化し得るものが好ましく、そのような例としては、デンプンや架橋カルボキシメチル化セルロース、ポリアクリル酸及びその塩並びにポリアクリル酸塩グラフト重合体等を挙げることができる。ポリアクリル酸塩としては、ナトリウム塩が好ましく、また、アクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合体も好ましい。
特に、イオン浸透圧によって大量の液体を吸収保持し且つ吸収した液体が加圧下でも漏れ出さない様な、アクリル酸又はアクリル酸アルカリ金属塩（ナトリウム塩、カリウム塩）等を重合し、架橋して水不溶化させた、水不溶性親水性架橋重合体粒子からなる高吸収性ポリマーが好ましい。
【００１７】
更に、バインダーを混合して吸収シートを形成する場合の該バインダーとしては、熱溶融性接着繊維又は／及び紙力補強剤を用いることが、湿潤時の強度の点からは好ましい。
上記熱溶融性接着繊維としては、加熱により溶融し相互に接着する繊維を用いることができ、具体的には、例えば、ポリエチレン、ポリプロピレン及びポリビニルアルコール等のポリオレフィン系繊維、ポリエステル系繊維、ポリエチレン−ポリプロピレン複合繊維、ポリエチレン−ポリエステル複合繊維、低融点ポリエステル−ポリエステル複合繊維、繊維表面が親水性であるポリビニルアルコール−ポリプロピレン複合繊維、並びにポリビニルアルコール−ポリエステル複合繊維等を挙げることができる。複合繊維を用いる場合には、芯鞘型複合繊維及びサイド・バイ・サイド型複合繊維の何れをも用いることができる。これらの熱溶融性接着繊維は、各々単独で用いることもでき、又は２種以上を混合して用いることもできる。本発明において好ましく用いられる熱溶融性接着繊維としては、熱水で溶解するポリビニルアルコール繊維、芯鞘型のポリエステル繊維等を挙げることができる。またこれらの熱溶融性接着繊維は、一般にその繊維長が２〜６０ｍｍであることが好ましく、繊維径は０．１〜３デニール（特に０．５〜３デニール）であることが好ましい。
【００１８】
上記紙力補強剤としてはポリアミン・エピクロルヒドリン樹脂、ジアルデヒドデンプン、カイメン、カルボキシメチルセルロース等を挙げることができる。
【００１９】
好ましい上記吸収シートとしては、親水性繊維及び熱溶融性接着繊維または紙力補強剤並びに高吸収性ポリマーとから構成され、上記高吸収ポリマーは、上記吸収シートが液体を吸収する吸収表面には存在せず、該吸収シートの内部に分散配置されており、且つ該吸収シートを構成する親水性繊維に接着し固定化されており、上記高吸収ポリマーの散布坪量は５〜３００ｇ／ｍ2 であり、上記吸収シートの厚みが０．３〜１．５ｍｍである高吸収シートが挙げられる。
また、更に好ましい上記吸収シートとしては、嵩高性の親水性繊維及び熱溶融性接着繊維または紙力補強剤から形成された繊維構造体と高吸収性ポリマー粒子とから構成され、上記高吸収性ポリマー粒子は上記吸収シートが液体を吸収する吸収表面には存在せず、上記繊維構造体中に分散固定されており、上記高吸収性ポリマーの散布坪量が２０〜７０ｇ／ｍ2 であり、上記吸収シートの厚みが０．３〜１．５ｍｍである高吸収シートが挙げられる。
【００２０】
この様な高吸収シートは、１枚のシート中に高吸収性ポリマーが３次元的に分散・固定されている為に、該高吸収性ポリマーの吸収能が効果的に発揮され、また、ポリマーのゲルブロッキングも少ない為、体液がスムーズに吸収シート中を伝達し易く、高い吸収能を得る為好ましく使用できる。
【００２１】
上記表面シート１１は、生理用ナプキン１０の幅方向における２００％伸長時の応力が２００〜２０００ｇであることが好ましく、５００〜２０００ｇであることがより好ましく、８００〜２０００ｇであることがより一層好ましい。２００ｇ未満では、動作による位相変化がたやすく生じ過ぎて、構成歪みや体液の広がりを生じやすい。２０００ｇ超では位相変化が事実上生じない。
また表面シート１１は、生理用ナプキン１０の幅方向における永久歪みが７０％以下であることが好ましく、５０％以下であることがより好ましい。永久歪みが７０％超では位相変化後の復元性に乏しく、構成の永久歪みとなって、繰り返しの位相変化不能でありフィット性を損なう。
【００２２】
尚、上記幅方向における応力とは、表面シート１１を生理用ナプキン１０の幅方向に１５０ｍｍ、長手方向に５０ｍｍに切断し、テンシロン引張試験機に試験片の長辺方向端部をチャック間距離１００ｍｍで固定し、速度３００ｍｍ／分で引っ張り、チャック間距離２００ｍｍとなった時の応力である。
また、上記幅方向における永久歪みとは、表面シート１１を生理用ナプキン１０の幅方向に１５０ｍｍ、長手方向に５０ｍｍに切断し、テンシロン引張試験機に試験片の長辺方向端部をチャック間距離１００ｍｍで固定し、速度３００ｍｍ／分で引っ張り、チャック間距離２００ｍｍとした後、同様の速度（３００ｍｍ／分）でチャック間距離を１００ｍｍとした時の表面シート１１の幅方向長さを測定し、初期長さ（チャック間距離＝１００ｍｍ）に対する弛緩できない長さ（初期長さよりも伸びて長くなった部分の長さ）の割合（％）を求めたものである。
【００２３】
上記表面シート１１を形成する材料としては、ポリエチレン（ＰＥ）、ポリプロピレン、ポリエステル、ＰＥ／ＰＥＴ複合繊維等の不織布や、ポリエチレン等のフィルムを開孔したポリエチレン開孔フィルム等を用いることができ、バインダー繊維からなる不織布を立体的に開孔した開孔不織布や、フィルムを立体的に開孔した開孔フィルムが、伸縮物性を得やすい為好ましい。
【００２４】
上記粘着部１２ａ，１２ａを形成する粘着剤及び剥離紙１６としては、従来より用いられているものを特に制限なく用いることができる。
【００２５】
本実施形態の生理用ナプキン１０は、下着に粘着部１２ａ，１２ａを粘着固定し、装着者の漏出部に上層吸収体１３ａを表面シート１１を介して当接させた状態で装着する。
装着中には、装着者の動作等によって、装着者の漏出部と生理用ナプキン１０との間にずれが生じる。即ち、装着者の動作等によって下層吸収体１３ｂに幅方向に力が加わると、下層吸収体１３ｂが幅方向に移動する。そして、表面シート１１の連設部１１ｃが下層吸収体１３ｂの移動に応じて変形し、上層吸収体１３ａの下層吸収体１３ｂに対する幅方向の位相が変化する。その結果、装着者の液漏出部に上層吸収体１３ａが当接された状態は変わることなく保持される。下層吸収体１３ｂへ加わっていた幅方向の力が無くなると、連設部１１ｃに生じている応力によって連設部１１ｃが元の形状に復元され、上層吸収体１３ａは下層吸収体１３ｂの幅方向中央に配置される。
【００２６】
また、装着者の動作によって上層吸収体１３ａに幅方向の力が加わると、上層吸収体１３ａが下層吸収体１３ｂに対して幅方向に変位する。このとき、上層吸収体１３ａは、装着者の動作に追従して液漏出部に当接したまま変位するので液漏れが良好に防止される。上層吸収体１３ａへ加わっていた幅方向の力が無くなると、連設部１１ｃに生じている応力によって連設部１１ｃが元の形状に復元され、上層吸収体１３ａは下層吸収体１３ｂの幅方向中央に配置される。
【００２７】
この様に、本実施形態の生理用ナプキン１０によれば、装着者の動作に応じて上層吸収体１３ａが下層吸収体１３ｂに対して幅方向に変位するので、上層吸収体１３ａは装着者の液漏出部に対して幅方向にずれることがなく、体液が確実に上層吸収体１３ａに吸収され、液漏れが良好に防止される。
本実施形態の生理用ナプキン１０によれば、上層吸収体１３ａと下層吸収体１３ｂとが同一の表面シート１１により被覆されており、装着者の動作等が終了すると上層吸収体１３ａは下層吸収体１３ｂの幅方向中央に戻されるので、体液が左右両側部まで移行し難く、液漏れが良好に防止される。
本実施形態の生理用ナプキン１０によれば、上層吸収体１３ａが下層吸収体１３ｂよりも幅狭に形成されており、体液は吸収部１３の幅方向中央において多量に吸収・保持されるので、体液が左右両側部まで移行し難く、液漏れが良好に防止される。
【００２８】
本実施形態の生理用ナプキン１０によれば、表面シート１１は、上層吸収体１３ａを下層吸収体１３ｂに対して上下方向の位相変化自在にも被覆しているので、装着者から離れる方向の力が作用しても、装着者の液漏出部に上層吸収体１３ａが当接された状態は保持され、液漏れが良好に防止される。
本実施形態の生理用ナプキン１０によれば、表面シート１１が、生理用ナプキン１０の幅方向における２００％伸長時の応力が２００〜２０００ｇであり、生理用ナプキン１０の幅方向における永久歪みが７０％以下であるので、装着者の動作につれて適度に上層吸収体１３ａの下層吸収体１３ｂに対する位相が適度に変化し、装着者の動作が終了すると良好に位相が元に戻るので、体液が偏らずに吸収され、漏れが一層良好に回避される。
本実施形態の生理用ナプキン１０によれば、吸収部１３の上層吸収体１３ａが吸収シートを備えているので、高いフィット性を有し、漏れにくくヨレ難い吸収性物品が提供できる。
【００２９】
図３は、本発明の吸収性物品の第２の実施形態としての生理用ナプキンを示す斜視図、図４は図３の生理用ナプキンの長手方向断面図である。尚、本実施形態において図１及び図２に示す第１の実施形態と同一の部材に関しては同一の符号を付し、説明は省略する。
【００３０】
本実施形態の生理用ナプキン２０では、図３又は図４に示すように、上層吸収体２３ａは、下層吸収体２３ｂと独立して形成され且つ下層吸収体２３ｂと実質的に非接触状態に配設され、下層吸収体２３ｂに対して長手方向に位相変化自在に、表面シート２１により被覆されている。
また、上層吸収体２３ａは、１枚のシートを、長手方向に沿って折曲部が配置されるように且つ一方の側縁部を内側に他方の側縁部を外側にして３つ折り形成されて３層に形成されている。下層吸収体２３ｂは、２枚の帯状のシートを積層させて２層に形成されている。
上層吸収体２３ａが表面シート２１により下層吸収体２３ｂに対して長手方向に位相変化自在に被覆され、上層吸収体２３ａが３つ折りにより３層に形成され且つ下層吸収体２３ｂが２枚のシートにより形成されている以外の構成は上述の第１の実施形態と同じである。
【００３１】
本実施形態について詳述すると、表面シート２１は、その略中央部が上層吸収体２３ａに当接されており、更に上記上層吸収体２３ａの前後端縁に沿って上記上層吸収体２３ａと下層吸収体２３ｂとの間に折り込まれて、上層吸収体２３ａにおける下層吸収体２３ｂ側の長手方向中央部２３ａ’’を除く表面を被覆している。更に、表面シート２１は、上層吸収体２３ａと下層吸収体２３ｂとの間において折り返されて連設部２１ｃが形成され、上層吸収体２３ａと下層吸収体２３ｂとは、この連設部２１ｃを介して実質的に非接触状態に配設されている。また表面シート２１はこの連設部２１ｃから端部２１ｄ，２１ｄにかけてが下層吸収体２３ｂにおける上層吸収体２３ａ側の表面に面接され、下層吸収体２３ｂにおける上層吸収体２３ａ側の長手方向中央部２３ｂ’’を除く上層吸収体２３ａ側の表面を被覆している。
【００３２】
上記表面シート２１は、生理用ナプキン２０の長手方向における２００％伸長時の応力が２００〜２０００ｇであることが好ましい。２００ｇ未満では、動作による位相変化がたやすく生じ過ぎて、構成歪みや体液の広がりを生じやすい。２０００ｇ超では位相変化が事実上生じない。
また、表面シート２１の生理用ナプキン２０の長手方向における永久歪みは７０％以下であることが好ましい。永久歪みが７０％超では位相変化後の復元性に乏しく、構成の永久歪みとなって、繰り返しの位相変化不能でありフィット性を損なう。
【００３３】
尚、上記長手方向における応力とは、表面シート２１を生理用ナプキン２０の長手方向に１５０ｍｍ、幅方向に５０ｍｍに切断し、テンシロン引張試験機に試験片の長辺方向端部をチャック間距離１００ｍｍで固定し、速度３００ｍｍ／分で引っ張り、チャック間距離２００ｍｍとなった時の応力である。
また、上記長手方向における永久歪みとは、表面シート２１を生理用ナプキン１０の長手方向に１５０ｍｍ、幅方向に５０ｍｍに切断し、テンシロン引張試験機に試験片の長辺方向端部をチャック間距離１００ｍｍで固定し、速度３００ｍｍ／分で引っ張り、チャック間距離２００ｍｍとした後、同様の速度（３００ｍｍ／分）でチャック間距離を１００ｍｍとした時の表面シート１１の幅方向長さを測定し、初期長さ（チャック間距離＝１００ｍｍ）に対する弛緩できない長さ（初期長さよりも伸びて長くなった部分の長さ）の割合（％）を求めたものである。
上記表面シート２１を形成する材料としては、ポリエチレン（ＰＥ）、ポリプロピレン、ポリエステル、ＰＥ／ＰＥＴ複合繊維等の不織布や、ポリエチレン等のフィルムを開孔したポリエチレン開孔フィルム等を用いることができ、バインダー繊維からなる不織布を立体的に開孔した開孔不織布や、フィルムを立体的に開孔した開孔フィルムが、伸縮物性を得やすい為好ましい。
【００３４】
本実施形態の生理用ナプキン２０は、下着に粘着部１２ａ，１２ａを粘着固定し、装着者の漏出部に上層吸収体２３ａを表面シート２１を介して当接させた状態で装着する。
装着中には、装着者の動作等によって、装着者の漏出部と生理用ナプキン２０との間にずれが生じる。即ち、装着者の動作等によって下層吸収体２３ｂに長手方向に力が加わると、下層吸収体２３ｂが長手方向に移動する。そして、表面シート２１の連設部２１ｃが下層吸収体２３ｂの移動に応じて変形し、上層吸収体２３ａの下層吸収体２３ｂに対する長手方向の位相が変化する。その結果、装着者の液漏出部に上層吸収体２３ａが当接された状態は変わることなく保持される。下層吸収体２３ｂへ加わっていた長手方向の力が無くなると、連設部２１ｃに生じている応力によって連設部２１ｃが元の形状に復元され、上層吸収体２３ａは下層吸収体２３ｂの長手方向中央に配置される。
【００３５】
また、装着者の動作によって上層吸収体２３ａに長手方向の力が加わると、上層吸収体２３ａが下層吸収体２３ｂに対して長手方向に変位する。このとき、上層吸収体２３ａは、装着者の動作に追従して液漏出部に近接したまま変位するので液漏れが良好に防止される。上層吸収体２３ａへ加わっていた長手方向の力が無くなると、連設部２１ｃに生じている応力によって連設部２１ｃが元の形状に復元され、上層吸収体２３ａは下層吸収体２３ｂの長手方向中央に配置される。
【００３６】
この様に、本実施形態の生理用ナプキン２０では、装着者の動作等に応じて上層吸収体２３ａが下層吸収体２３ｂに対して長手方向に変位する。従って、本実施形態の生理用ナプキン２０によれば、該生理用ナプキン２０の長手方向に力が加わった場合において、上記第１の実施形態と同様の効果を得ることができる。
本実施形態の生理用ナプキン２０によれば、吸収部１３の上層吸収体２３ａが吸収シートを備えているので、高いフィット性を有し、漏れにくくヨレ難い吸収性物品が提供できる。
【００３７】
本発明は上述した実施形態に限定されるものではなく、各部材の具体的な形状や寸法等は、本発明の趣旨を逸脱しない限りにおいて適宜変更可能である。
例えば、上記各実施形態において、上層吸収体１３ａ，２３ａ又は／及び下層吸収体１３ｂ，２３ｂを、吸収シートに代えて又は吸収シートとともに、吸収パッドによって形成してもよい。
また、上層吸収体１３ａ，２３ａ及び下層吸収体１３ｂ，２３ｂは、１枚の吸収シートを折り畳んで又は複数枚の吸収シートを積層させて２層、３層またはそれ以上の多数層に形成させたり、１枚の吸収シートで１層に形成させることができる。
下層吸収体１３ｂ，２３ｂと裏面シート１２とは、一枚のシート化されていてもよい。
【００３８】
表面シート１１，２１は、上層吸収体１３ａ，２３ａを、下層吸収体１３ｂ，２３ｂに対して幅方向又は長手方向に位相変化自在に被覆していればよく、折り畳み形態は特に制限されるものではない。また、上層吸収体１３ａ，２３ａを、下層吸収体１３ｂ，２３ｂに対して幅方向及び長手方向の両方向に位相変化自在に被覆することもできる。
表面シート１１，２１は、上記実施形態の如く、上層吸収体１３ａ，２３ａ及び下層吸収体１３ｂ，２３ｂを、幅方向中央部１３ａ’，１３ｂ’又は長手方向中央部２３ａ’’，２３ｂ’’を除いて被覆することが好ましいが、上層吸収体１３ａ，２３ａと下層吸収体１３ｂ，２３ｂとの間において当接させ、上層吸収体１３ａ，２３ａ全体及び下層吸収体１３ｂ，２３ｂの上層吸収体１３ａ，２３ａ側の面全面を被覆することもできる。
吸収部１３の側外方に、図２に点線で示す如く裏面シート１２の側縁部を延長して防漏壁１２’，１２’を形成させ、又は液不透過性の防漏材を配置させて、一層確実に液漏れを防止してもよい。この防漏壁１２’，１２’や防漏材は、吸収部１３と表面シート１１，２１の間に介在させても、表面シート１１，２１の外方に配置させてもよい。
【００３９】
上記実施形態では生理用ナプキンの場合について説明したが、使い捨ておむつ等の他の吸収性物品でも同様に、下層吸収体と上層吸収体が位相変化自在となって、フィット性を向上させ、漏れを防止できる。
【００４０】
【発明の効果】
以上説明した様に、請求項１に記載の発明に係る吸収性物品によれば、装着時に装着者の動作等に影響されることなく上層吸収体が装着者の体液漏出部に当接されて良好なフィット性が保持され、液漏れが良好に防止される。
また、上層吸収体が下層吸収体よりも幅狭なので、吸収部を、幅方向中央において従来よりも液吸収容量を多く形成させることができ、側縁部における液漏れが更に良好に防止される。
【００４１】
請求項２に記載の発明に係る吸収性物品によれば、上記請求項１記載の発明効果に加えて、上層吸収体が下層吸収体に対して上下方向の位相変化自在になしてあるので、装着者から離れる方向の力が作用しても、装着者の液漏出部に上層吸収体が当接された状態は保持され、フィット性が良好で、液漏れが一層良好に防止される。
【００４２】
請求項３に記載の発明に係る吸収性物品によれば、上記請求項１又は請求項２記載の発明の効果に加えて、装着者の動作につれて適度に上層吸収体の下層吸収体に対する位相が変化・復元されるので、フィット性がより良好で、漏れが更に一層良好に回避される。
【００４４】
請求項４に記載の発明に係る吸収性物品によれば、上記請求項１、請求項２、又は請求項３記載の発明の効果に加えて、吸収部の上層吸収体が吸収シートを備えているので、高いフィット性を有し、漏れにくくヨレ難い吸収性物品が提供できる。
【００４５】
請求項５に記載の発明に係る吸収性物品によれば、上記請求項４記載の発明の効果に加えて、吸収部の上層吸収体が高吸収性ポリマーを含有する吸収シートを備えているので、加工性が良好であり且つ体液吸収量が多い。
【図面の簡単な説明】
【図１】本発明の吸収性物品の第１の実施形態としての生理用ナプキンを示す斜視図である。
【図２】図１の生理用ナプキンの幅方向断面図である。
【図３】本発明の吸収性物品の第２の実施形態としての生理用ナプキンを示す斜視図である。
【図４】図３の生理用ナプキンの長手方向断面図である。
【符号の説明】
１０      生理用ナプキン
１１      表面シート
１１ｃ    連設部
１１ｄ    側縁部
１２      裏面シート
１２’    防漏壁
１２ａ    粘着部
１３      吸収部
１３ａ    上層吸収体
１３ａ’  幅方向中央部
１３ｂ    下層吸収体
１３ｂ’  幅方向中央部
１６      剥離紙
２０      生理用ナプキン
２１      表面シート
２１ｃ    連設部
２１ｄ    端部
２３ａ    上層吸収体
２３ａ’’長手方向中央部
２３ｂ    下層吸収体
２３ｂ’’長手方向中央部
【図１】
0003737205.tif 000002
【図２】
0003737205.tif 000003
【図３】
0003737205.tif 000004
【図４】
0003737205.tif 000005